(57)【要約】【課題】この発明は、記憶可能な情報量を多くでき且つ安定した通信処理が可能な無線ＩＣ冊子を提供することを課題とする。【解決手段】無線ＩＣ冊子１は、２枚の表紙２、４の間に複数枚の中紙６ａ〜６ｄを綴じて構成されている。各中紙６は、それぞれ、ＬＳＩ１２およびアンテナ１４を有する無線ＩＣシート８とアモルファス金属シート１０を貼り合わせて構成されている。【選択図】      図４
2007144861.tif 000002
【特許請求の範囲】
【請求項１】
ＬＳＩおよびアンテナをそれぞれ有する複数枚のＩＣシートを綴じ、各ＩＣシートの互いに対向しない面にアモルファス金属層を貼り合わせたことを特徴とする無線ＩＣ冊子。
【請求項２】
上記アモルファス金属層は、貼り合わせられるＩＣシートのアンテナを少なくとも部分的に覆う位置に設けられていることを特徴とする請求項１に記載の無線ＩＣ冊子。
【請求項３】
上記アモルファス金属層は、貼り合わせられるＩＣシートから離間した裏面側に綴じられる別のＩＣシートのアンテナを少なくとも部分的に覆う位置に設けられていることを特徴とする請求項２に記載の無線ＩＣ冊子。
【請求項４】
上記アモルファス金属層は、貼り合わせられるＩＣシートのアンテナ全体を覆うサイズに形成されていることを特徴とする請求項１に記載の無線ＩＣ冊子。
【請求項５】
上記複数枚のＩＣシートは、それぞれ、貼り合わせられる上記アモルファス金属層と自身のアンテナとの間にギャップを形成するための樹脂層を有することを特徴とする請求項１に記載の無線ＩＣ冊子。
【請求項６】
ＬＳＩおよびアンテナをそれぞれ有する複数枚のＩＣシートを綴じ、これら複数枚のＩＣシートのうち第１のＩＣシートに貼り付けられて当該第１のＩＣシートをシールドするとともに当該第１のＩＣシートを反対側に開いた状態で当該第１のＩＣシートの隣に綴じられた第２のＩＣシートをシールドするように機能するアモルファス金属層を、上記複数枚のＩＣシートそれぞれに貼り合わせたことを特徴とする無線ＩＣ冊子。
【請求項７】
上記第１のＩＣシートに貼り合わせられたアモルファス金属層は、当該第１のＩＣシートのアンテナを少なくとも部分的に覆う位置に設けられていることを特徴とする請求項６に記載の無線ＩＣ冊子。
【請求項８】
上記第１のＩＣシートに貼り合わせられたアモルファス金属層は、上記第２のＩＣシートのアンテナを少なくとも部分的に覆う位置に設けられていることを特徴とする請求項７に記載の無線ＩＣ冊子。
【請求項９】
上記第１のＩＣシートに貼り合わせられたアモルファス金属層は、当該第１のＩＣシートのアンテナ全体を覆うサイズに形成されていることを特徴とする請求項６に記載の無線ＩＣ冊子。
【請求項１０】
上記複数枚のＩＣシートは、それぞれ、貼り合わせられる上記アモルファス金属層と自身のアンテナとの間にギャップを形成するための樹脂層を有することを特徴とする請求項６に記載の無線ＩＣ冊子。
【発明の詳細な説明】
【技術分野】
【０００１】
この発明は、無線によるデータ通信が可能な無線ＩＣ冊子に関する。
【背景技術】
【０００２】
従来、無線ＩＣ冊子として、表紙に電磁波を遮断もしくは通しにくいシールド部材を用いた冊子が知られている（例えば、特許文献１参照。）。この冊子の内部には、非接触で外部と電波により情報の授受が可能なＩＣチップおよびアンテナを有するＩＣユニットが設けられている。
【０００３】
この冊子では、シールド部材として、アルミニウム、銅、鉄等の金属、パーマロイ等の合金、フェライト等を用いており、表紙を開いてＩＣユニットを情報読取ユニットに対向させて情報の授受を行なう際に、アンテナから出る電磁波をシールドするようにしている。これにより、外部からの不正目的のための電波による偽造や変造を防止するようにしている。
【０００４】
しかし、上述したパーマロイやフェライトをシールド部材として用いた場合、十分な磁気シールド機能を果たす反面、渦電流による損失が比較的大きく、エネルギーロスが大きいため、通信距離が短くなってしまう問題がある。
【０００５】
また、近年、このような無線ＩＣ冊子の分野では、サービスの多様化に伴いＩＣチップに記憶する情報量が多くなる傾向にある。このため、複数のＩＣチップを搭載可能な無線ＩＣ冊子の出現が望まれている。
【０００６】
しかし、例えば、上述した従来の無線ＩＣ冊子の複数のページにＩＣチップを搭載した場合、特定のページに取り付けられたＩＣチップとの間で無線通信しようとしたとき、他のＩＣチップと不所望に通信を確立してしまう可能性があり、正常な通信処理が実施できなくなる可能性がある。
【特許文献１】特開平１１−３４８４７１号公報（段落［００１４］、図６）
【発明の開示】
【発明が解決しようとする課題】
【０００７】
この発明の目的は、記憶可能な情報量を多くでき且つ安定した通信処理が可能な無線ＩＣ冊子を提供することにある。
【課題を解決するための手段】
【０００８】
上記目的を達成するため、本発明の無線ＩＣ冊子は、ＬＳＩおよびアンテナをそれぞれ有する複数枚のＩＣシートを綴じ、各ＩＣシートの互いに対向しない面にアモルファス金属層を貼り合わせたことを特徴とする。
【０００９】
また、本発明の無線ＩＣ冊子は、ＬＳＩおよびアンテナをそれぞれ有する複数枚のＩＣシートを綴じ、これら複数枚のＩＣシートのうち第１のＩＣシートに貼り付けられて当該第１のＩＣシートをシールドするとともに当該第１のＩＣシートを反対側に開いた状態で当該第１のＩＣシートの隣に綴じられた第２のＩＣシートをシールドするように機能するアモルファス金属層を、上記複数枚のＩＣシートそれぞれに貼り合わせたことを特徴とする。
【００１０】
上記発明によると、ＬＳＩおよびアンテナを有するＩＣシートそれぞれにアモルファス金属層を貼り合わせたため、各ＩＣシートのＩＣチップと無線通信をするとき、別のＩＣチップと通信してしまう不具合を防止できる。
【発明の効果】
【００１１】
この発明の無線ＩＣ冊子は、上記のような構成および作用を有しているので、記憶可能な情報量を多くでき且つ安定した通信処理ができる。
【発明を実施するための最良の形態】
【００１２】
以下、図面を参照しながらこの発明の実施の形態について詳細に説明する。  
図１には、この発明の実施の形態に係る無線ＩＣ冊子１（以下、単に、冊子１と称する）を開いた状態の概略斜視図を示してある。また、図２には、冊子１を図１矢印II方向から見た図を示してある。冊子１として、例えば、銀行の預金通帳、社員証、学生証などの個人認証用媒体がある。
【００１３】
冊子１は、矩形の２枚の表紙２、４（図示のように１枚の表紙を２つ折りにしても良い）の間に略同じ形の複数枚の中紙６を挟んで一辺を綴じて形成されている。複数枚の中紙６は、それぞれ、無線ＩＣシート８（ＩＣシート）とアモルファス金属シート１０（アモルファス金属層）を１枚ずつ同じ向きで貼り合わせて形成されている。
【００１４】
言い換えると、各アモルファス金属シート１０は、各無線ＩＣシート８が互いに対向しない面にそれぞれ貼り合わせられている。さらに言い換えると、アモルファス金属シート１０と無線ＩＣシート８は交互に重ねられ、１枚ずつ２枚１組として貼り合わされてそれぞれ中紙６を形成している。なお、図２では、説明を分かり易くするために各中紙６の各シート８、１０の厚さを誇張して図示してあるが、実際の各シートは、その一辺が一纏めにして綴じられている。
【００１５】
全ての無線ＩＣシート８は、ＬＳＩ１２およびコイルアンテナ１４（アンテナ）を有する。ＬＳＩ１２およびアンテナ１４は、図３に示す等価回路を構成している。無線ＩＣシート８は、図４に示すリーダ・ライタ２０から供給される磁力線をアンテナ１４を介して電力に変換し、この電力によってＬＳＩ１２を動作させ、残りの電力でリーダ・ライタ２０にレスポンスを返す。このように、無線ＩＣシート８は、非接触によりリーダ・ライタ２０との間でデータ通信を行なう。
【００１６】
無線ＩＣシート８は、厚さ０．０３８［ｍｍ］のポリエチレンテフタレート（ＰＥＴ）の基材（図示せず）上に厚さ０．０３［ｍｍ］のアンテナ１４のパターンをアルミニウムにより形成し、且つＬＳＩ１２をフリップチップ方式により実装し、さらにこのＰＥＴの表裏面をＰＥＴ−Ｇ（非結晶性ポリエステル）シート（図示せず）で挟んで真空ホットプレスにて一体化することで形成されている。
【００１７】
これら表裏面のＰＥＴ−Ｇシートは、当該無線ＩＣシート８のアンテナ１４と当該無線ＩＣシート８に貼り合わせられるアモルファス金属シート１０との間にギャップを形成するための樹脂層として機能する。また、このＰＥＴ−Ｇシートは、当該無線ＩＣシート８に貼り合わせられるアモルファス金属シート１０から離間した反対側に隣接して綴じられた他の中紙６のアモルファス金属シート１０と自身のアンテナ１４との間にギャップを形成する樹脂層としても機能する。
【００１８】
アモルファス金属シート１０は、厚さ０．１［ｍｍ］のアモルファス金属により形成され、貼り合わせられる無線ＩＣシート８のアンテナ１４を少なくとも部分的に覆う位置およびサイズに形成されている。また、アモルファス金属シート１０は、貼り合わせられる無線ＩＣシート８から離間した反対側に隣接して綴じられている中紙６の無線ＩＣシート８に組み込まれたアンテナ１４を部分的に覆う位置およびサイズに形成されている。
【００１９】
本実施の形態では、アモルファス金属シート１０は、無線ＩＣシート８のアンテナ１４の全体を覆う大きさに形成されている。さらに具体的には、本実施の形態では、アモルファス金属シート１０は、それぞれ、無線ＩＣシート８の略全面に貼り付けられている。
【００２０】
以上のように、本実施の形態の冊子１は、複数枚の中紙６それぞれにリーダ・ライタ２０との間で無線通信するためのアンテナ１４およびＬＳＩ１２を有するため、一冊の冊子１に記憶可能な情報量を飛躍的に多くでき、サービスの多様化に対応できる。
【００２１】
以下、上記構造の冊子１とリーダ・ライタ２０との間の無線通信時におけるアモルファス金属シート１０の機能について、図４を参照して説明する。なお、ここでは、説明を分かり易くするため、２枚の表紙２、４の間に４枚の中紙６ａ〜６ｄを綴じた冊子１を例にとって説明する。特に、この冊子１は、綴じた状態（図示せず）で、全ての中紙６において、表紙２側に無線ＩＣシート８が位置し表紙４側にアモルファス金属シート１０が位置するように２枚のシート８、１０がそれぞれ貼り合わされているものとする。
【００２２】
上記構造の冊子１をリーダ・ライタ２０に翳す際、図４に示すように、冊子１の通信を所望するページを開いた状態でリーダ・ライタ２０のアンテナ２２（以下、Ｒ／Ｗアンテナ２２と称する）に近付ける。ここでは、通信を所望するページは、表紙４側に開かれた図４中左側のリーダ・ライタ２０に最も近い中紙６ｃとなっている。
【００２３】
この状態で、リーダ・ライタ２０のＲ／Ｗアンテナ２２からの磁束３０が、通信対象となる無線ＩＣシート８を有する中紙６ｃのアンテナ１４の開口部を通過し、当該無線ＩＣシート８のＬＳＩ１２に電力供給される。このとき、Ｒ／Ｗアンテナ２２からの磁束３０がアンテナ１４とアモルファス金属シート１０との間を通ってループを形成する必要があるため、無線ＩＣシート８を構成したＰＥＴ−Ｇシートがギャップを形成する機能を担っている。このように、磁束３０がアンテナ１４を通過することで、当該無線ＩＣシート８のＬＳＩ１２とリーダ・ライタ２０との間で無線通信が可能となる。
【００２４】
なお、このとき、通信対象となる中紙６ｃにおいて、アモルファス金属シート１０が無線ＩＣシート８のリーダ・ライタ２０から離間した側に貼り付けられているため、Ｒ／Ｗアンテナ２２からの磁束３０が冊子１を通り抜けて外部に漏洩する心配がない。また、このアモルファス金属シート１０は、当該中紙６ｃと表紙４との間に綴じられた他の中紙６ｄに対し、Ｒ／Ｗアンテナ２２からの磁束３０をシールドするよう機能する。
【００２５】
つまり、リーダ・ライタ２０に近接した中紙６ｃにおいて、無線ＩＣシート８のリーダ・ライタ２０から離間した裏面側にアモルファス金属シート１０を貼り付けたことにより、通信対象外の中紙６ｄの無線ＩＣシート８に組み込まれたＬＳＩ１２との間で不所望に通信を確立してしまう不具合を防止でき、確実な通信処理が可能となる。言い換えると、アモルファス金属シート１０は、高い透磁率を有するため、電磁波を効果的に遮蔽することができ、ノイズの発生を防止できる。
【００２６】
また、アモルファス金属シート１０は、鉄などの金属シートと比較して、電磁波により生じる渦電流による損失が少ないため、エネルギーロスが少なく、通信距離を略維持できる。言い換えると、シールド部材としてアモルファス金属シート１０を採用することで、電磁波を十分に遮蔽できるとともに十分な通信距離を確保できる。
【００２７】
ところで、図４に示すように冊子１のページを開いた状態でＲ／Ｗアンテナ２２に翳すと、表紙２側、すなわち図中右側（反対側）に開かれたページの無線ＩＣシート８をＲ／Ｗアンテナ２２からの漏れ磁束が通過する可能性がある。このように、通信対象外の無線ＩＣシート８を漏れ磁束が通過すると、不所望なノイズ成分となる可能性がある。
【００２８】
これに対し、本実施の形態では、各中紙６において無線ＩＣシート８にアモルファス金属シート１０を貼り合わせたため、中紙が表紙２側に開かれた状態で、自身の無線ＩＣシート８に組み込まれたアンテナ１４に対し、リーダ・ライタ２０からの磁束３０をシールドすることができる。
【００２９】
より具体的には、例えば、表紙２側の中紙６ｂのアモルファス金属シート１０に着目すると、このアモルファス金属シート１０は、冊子１が図４に示す状態に開かれているとき、当該中紙６ｂの無線ＩＣシート８（第１のＩＣシート）をリーダ・ライタ２０からの磁束３０からシールドするよう機能する。また、当該アモルファス金属シート１０は、当該中紙６ｂが表紙４側（反対側）に開かれた状態で、すなわち図４で中紙６ｃの位置に配置された状態で、上述したように、盗聴を防止するよう機能するとともに、隣に綴じられている中紙６ｃの無線ＩＣシート８（第２のＩＣシート）をリーダ・ライタ２０からの磁束３０からシールドするよう機能する。
【００３０】
つまり、各中紙６に設けられたアモルファス金属シート１０は、それぞれ、当該中紙６が開かれる側に応じて、すなわち当該中紙６の姿勢変化に応じて、異なる機能を発揮する。具体的には、図４において、当該中紙６が表紙４側に開かれた状態では、表紙４との間に配置された他の中紙の無線ＩＣシート８をシールドし、表紙２側に開かれた状態では、自身の無線ＩＣシート８をシールドする。
【００３１】
以上のように、本実施の形態によると、ＬＳＩ１２およびアンテナ１４を有する複数枚の無線ＩＣシート８を綴じた冊子１を構成したため、一冊の冊子１に複数個のＬＳＩ１２を搭載でき、冊子１に記憶することのできる情報の量を飛躍的に多くできる。また、その上で、冊子１の各ページにアモルファス金属シート１０を貼り付けたため、通信対象外の中紙６に組み込まれたＬＳＩ１２との間で不所望に通信を確立してしまう不具合を防止でき、確実且つ安定した通信処理が可能となる。
【００３２】
また、アモルファス金属シート１０は、冊子１をリーダ・ライタ２０のＲ／Ｗアンテナ２２に翳した状態で、データ通信による電磁波が外部に漏れることを防止でき、不正目的の電波によってデータが改竄されたりすることを防止できる。
【００３３】
また、本実施の形態によると、電磁波のシールド層としてアモルファス金属を用いたため、渦電流による損失を小さくでき、エネルギーロスを小さくでき、シールド層を設けない場合と比較して通信距離が短くなる不具合を防止できる。つまり、本実施の形態によると、十分な通信距離を確保した上で、データ通信のセキュリティーを向上させることがでる。
【００３４】
なお、この発明は、上述した実施の形態そのままに限定されるものではなく、実施段階ではその要旨を逸脱しない範囲で構成要素を変形して具体化できる。また、上述した実施の形態に開示されている複数の構成要素の適宜な組み合わせにより種々の発明を形成できる。例えば、上述した実施の形態に示される全構成要素から幾つかの構成要素を削除しても良い。
【００３５】
例えば、上述した実施の形態では、冊子１の全ての中紙６の略全面にアモルファス金属シート１０を貼り付けた場合について説明したが、これに限らず、無線ＩＣシート８のアンテナ１４に少なくとも部分的に重なる位置にアモルファス金属シート１０を貼り付ければ良い。
【図面の簡単な説明】
【００３６】
【図１】この発明の実施の形態に係る無線ＩＣ冊子を開いた状態を示す概略斜視図。
【図２】図１の冊子を矢印II方向から見た図。
【図３】図１の冊子の各ページに組み込まれた回路構成を説明するための図。
【図４】図１の冊子の各ページに貼り付けられたアモルファス金属シートの機能を説明するための動作説明図。
【符号の説明】
【００３７】
１…無線ＩＣ冊子、２、４…表紙、６、６ａ〜６ｄ…中紙、８…無線ＩＣシート、１０…アモルファス金属シート、１２…ＬＳＩ、１４…コイルアンテナ、２０…リーダ・ライタ、２２…Ｒ／Ｗアンテナ、３０…磁束。
【図１】
2007144861.tif 000003
【図２】
2007144861.tif 000004
【図３】
2007144861.tif 000005
【図４】
2007144861.tif 000006